(57)【特許請求の範囲】
【請求項１】
原稿の画像データを記憶部に記憶し、入力設定された部数を含む条件に基づき、前記記憶部に記憶した画像データを読み出して、前記部数の未処理数を表示部に表示しながら、用紙上に画像形成を行う画像形成装置において、
画像形成中に、前記条件の変更、及び変更された該条件の適用開始部数値を受け付ける受付手段と、前記未処理数が、前記受付手段が受け付けた適用開始部数値に達したか否かを判定する判定手段と、該判定手段が達したと判定したときに、前記受付手段が受け付けた変更後の条件に基づき、引続き画像形成を行う続行手段とを備えることを特徴とする画像形成装置。
【請求項２】
前記受付手段は、変更を受け付けた条件が部数の増加であるときは、前記適用開始部数値を０とし、変更を受け付けた条件が部数の削減であるときは、前記適用開始部数値を、前記入力設定された部数に前記削減を実行して得た値とし、変更を受け付けた条件が前記削減であるときは、前記判定手段が達したと判定したときに、画像形成を終了すべくなしてある請求項１記載の画像形成装置。
【請求項３】
前記受付手段が変更を受け付けた条件が部数の増減であるときは、前記未処理数に前記増減を実行する手段と、該手段が実行して得た値を、前記未処理数に代えて前記表示部に表示する手段とを更に備える請求項１又は２記載の画像形成装置。
【請求項４】
前記受付手段が変更を受け付けた条件に基づき、前記続行手段が画像形成を開始したときは、前記変更に関連する表示灯を所定時間点滅させる手段と、該所定時間が経過したときは、前記表示灯を点灯させる手段とを更に備える請求項１乃至３の何れか１項に記載の画像形成装置。
【請求項５】
前記受付手段が変更を受け付けた条件が、用紙の変更を必要とするか否かを判定する手段と、該手段が必要と判定したときに、前記条件に応じた用紙を選択する手段とを更に備え、該手段が選択した用紙上に画像形成すべくなしてある請求項１乃至４の何れか１項に記載の画像形成装置。
【請求項６】
前記受付手段が変更を受け付けたときは、該変更に応じて画像形成すべき用紙の残量を検出する手段と、該手段が検出した残量が、前記変更に応じて画像形成すべき用紙量未満であるか否かを判定する手段とを更に備え、該手段が未満であると判定したときは、前記用紙の不足を表示すべくなしてある請求項１乃至５の何れか１項に記載の画像形成装置。
【請求項７】
前記受付手段が変更を受け付けた条件に基づき、画像形成を開始したときは、排紙トレイを変更する手段を更に備え、該手段が変更した排紙トレイに、前記条件に基づき画像形成した用紙を排出すべくなしてある請求項１乃至６の何れか１項に記載の画像形成装置。
【請求項８】
前記受付手段が変更を受け付けたときは、該変更内容を表示する変更表示部を更に備える請求項１乃至７の何れか１項に記載の画像形成装置。
【請求項９】
前記受付手段が変更を受け付けた条件に基づく画像形成が終了したときは、前記条件に基づき画像形成された用紙が排出された排紙トレイ上の、前記用紙の有無を検出する手段を更に備え、該手段が無を検出する迄、前記変更表示部が変更内容を表示すべくなしてある請求項８記載の画像形成装置。
【請求項１０】
文字又は画像を表示する手段と、該手段が表示した文字又は画像を、前記記憶部に記憶した画像データに付加する付加手段と、該付加手段が付加した文字又は画像を消去する消去手段とを更に備え、前記受付手段が変更を受け付けるべき条件は、前記付加手段による文字又は画像の付加と前記消去手段による文字又は画像の消去とを含み、前記受付手段が前記付加又は消去を受け付けたときは、該付加又は消去に基づき、引続き画像形成を行うべくなしてある請求項１乃至９の何れか１項に記載の画像形成装置。
【発明の詳細な説明】
【０００１】
【発明の属する技術分野】
本発明は、画像データをメモリに記憶し、入力設定された条件に基づき、メモリに記憶した画像データを読み出して、用紙上に画像形成を行う、ディジタル複写機として好適に実施される画像形成装置に関するものである。
【０００２】
【従来の技術】
複数枚の原稿を複数部コピーする場合、従来のアナログ複写機では、原稿を１頁ずつ、所望する部数だけコピーして行くように構成されている。従って、処理を開始してから、部数を変更したい場合、処理が終了に近ければ、終了するのを待って、追加分の部数を設定し、再び印字処理が行われている。一方、処理を始めてからの時間が短く、多くの処理が残っている場合は、割込み処理で印字処理を一旦中断し、追加分の印字処理を行った後、未処理の原稿が変更後の部数で印字処理されている。
【０００３】
一方、ディジタル複写機では、例えば特開平９−１９０１１７号公報には、ＩＤデータを入力してコピージョブを行い、ジョブが終了してから追加コピーが必要になったときには、前記ＩＤデータを入力することで、ハードディスクに記憶されている前回の印字処理時の原稿画像データを読出して印字処理を行うようにし、再度の原稿の読取りを無くして、処理時間を短縮し、また、原稿へのダメージを小さくする「画像形成装置」が開示されている。
【０００４】
【発明が解決しようとする課題】
上述したような従来のアナログ複写機では、一旦印字処理を中断して追加分の部数設定を行うので、印字処理に時間が掛かるという問題がある。また、処理済の用紙は割込み処理前後で部数が異なるなど、処理済の用紙の仕分けが煩雑であるという問題もある。
また、上述した従来のディジタル複写機でも、一旦印字処理を終了してからでないと追加設定を行うことが出来ず、印字処理に時間が掛かるという問題がある。また、部数を削減する場合には、アナログ複写機と同様に、一旦印字処理を中断しなければならず、印字処理に時間が掛かると共に、処理済の用紙の仕分けが煩雑であるという問題もある。
【０００５】
本発明は、上述したような事情に鑑みてなされたものであり、印字処理動作中でも部数の変更及び機能の変更を簡単に実行することが出来、また、速やかに印字処理を終了することが出来、また、処理済の用紙の仕分けが容易な画像形成装置を提供することを目的とする。
【０００６】
【課題を解決するための手段】
本発明に係る画像形成装置は、原稿の画像データを記憶部に記憶し、入力設定された部数を含む条件に基づき、前記記憶部に記憶した画像データを読み出して、前記部数の未処理数を表示部に表示しながら、用紙上に画像形成を行う画像形成装置において、画像形成中に、前記条件の変更、及び変更された該条件の適用開始部数値を受け付ける受付手段と、前記未処理数が、前記受付手段が受け付けた適用開始部数値に達したか否かを判定する判定手段と、該判定手段が達したと判定したときに、前記受付手段が受け付けた変更後の条件に基づき、引続き画像形成を行う続行手段とを備えることを特徴とする。
【０００９】
この画像形成装置では、画像データを記憶部に記憶し、入力設定された部数を含む条件に基づき、また、その部数からの未処理数を表示部に表示しながら、記憶部に記憶した画像データを読み出して、用紙上に画像形成を行う。受付手段が、画像形成中に、未処理数以下の適用を開始すべき適用開始値を含む前記条件の変更を受け付け、判定手段が、未処理数が適用開始値に達したか否かを判定する。続行手段は、判定手段が達したと判定したときに、受付手段が変更を受け付けた条件に基づき、引続き画像形成を行う。
これにより、印字処理中（画像形成中）に部数変更の必要が生じても、従来のアナログ複写機のように、割込み処理で印字処理を一旦中断し、追加分の印字処理を行った後、未処理の原稿を変更後の部数で印字処理するような煩雑な処理ではなく、処理中の動作を停止することなく、部数変更して印字処理を実行するので、速やかに印字処理を終了することができる。
【００１０】
本発明に係る画像形成装置は、前記受付手段は、変更を受け付けた条件が部数の増加であるときは、前記適用開始部数値を０とし、変更を受け付けた条件が部数の削減であるときは、前記適用開始部数値を、前記入力設定された部数に前記削減を実行して得た値とし、変更を受け付けた条件が前記削減であるときは、前記判定手段が達したと判定したときに、画像形成を終了すべくなしてあることを特徴とする。
【００１１】
この画像形成装置では、受付手段は、変更を受け付けた条件が部数の増加であるときは、前記適用開始値を０とし、変更を受け付けた条件が部数の削減であるときは、前記適用開始値を、入力設定された部数にその削減を実行して得た値とし、変更を受け付けた条件が削減であるときは、判定手段が達したと判定したときに、画像形成を終了する。
これにより、印字処理中（画像形成中）に部数変更の必要が生じても、処理中の動作を停止することなく、部数変更して印字処理を実行するので、速やかに印字処理を終了することができる。
【００１２】
本発明に係る画像形成装置は、前記受付手段が変更を受け付けた条件が部数の増減であるときは、前記未処理数に前記増減を実行する手段と、該手段が実行して得た値を、前記未処理数に代えて前記表示部に表示する手段とを更に備えることを特徴とする。
【００１３】
この画像形成装置では、受付手段が変更を受け付けた条件が部数の増減であるときは、実行する手段が未処理数にその増減を実行し、表示する手段が、その実行して得た値を、前記未処理数に代えて表示部に表示するので、部数変更後の印字処理の進捗状況を確認することが出来る。
【００１４】
本発明に係る画像形成装置は、前記受付手段が変更を受け付けた条件に基づき、前記続行手段が画像形成を開始したときは、前記変更に関連する表示灯を所定時間点滅させる手段と、該所定時間が経過したときは、前記表示灯を点灯させる手段とを更に備えることを特徴とする。
【００１５】
この画像形成装置では、受付手段が変更を受け付けた条件に基づき、続行手段が画像形成を開始したときは、点滅させる手段が、変更に関連する表示灯を所定時間点滅させ、所定時間が経過したときは、点灯させる手段が表示灯を点灯させるので、変更された部数及び変更された機能を確認することが出来る。
【００１６】
本発明に係る画像形成装置は、前記受付手段が変更を受け付けた条件が、用紙の変更を必要とするか否かを判定する手段と、該手段が必要と判定したときに、前記条件に応じた用紙を選択する手段とを更に備え、該手段が選択した用紙上に画像形成すべくなしてあることを特徴とする。
【００１７】
この画像形成装置では、判定する手段が、受付手段が変更を受け付けた条件が、用紙の変更を必要とするか否かを判定し、選択する手段は、判定する手段が必要と判定したときに、前記条件に応じた用紙を選択し、選択する手段が選択した用紙上に画像形成する。
これにより、機能変更、特に倍率変更を伴う変更に対して、その倍率に応じた用紙を選択することが出来、拡大倍率に変更された場合でも、印字欠けを防止することが出来る。
【００１８】
本発明に係る画像形成装置は、前記受付手段が変更を受け付けたときは、該変更に応じて画像形成すべき用紙の残量を検出する手段と、該手段が検出した残量が、前記変更に応じて画像形成すべき用紙量未満であるか否かを判定する手段とを更に備え、該手段が未満であると判定したときは、前記用紙の不足を表示すべくなしてあることを特徴とする。
【００１９】
この画像形成装置では、受付手段が変更を受け付けたときは、検出する手段がその変更に応じて画像形成すべき用紙の残量を検出し、判定する手段が、その検出した残量が、前記変更に応じて画像形成すべき用紙量未満であるか否かを判定する。そして、判定する手段が未満であると判定したときは、用紙の不足を表示する。
これにより、変更した条件による印字処理を完了する為の用紙の不足を事前に通知することが出来、用紙不足による中断状態が放置されることを防止することが出来る。
【００２０】
本発明に係る画像形成装置は、前記受付手段が変更を受け付けた条件に基づき、画像形成を開始したときは、排紙トレイを変更する手段を更に備え、該手段が変更した排紙トレイに、前記条件に基づき画像形成した用紙を排出すべくなしてあることを特徴とする。
【００２１】
この画像形成装置では、受付手段が変更を受け付けた条件に基づき、画像形成を開始したときは、変更する手段が排紙トレイを変更し、その変更した排紙トレイに、前記条件に基づき画像形成した用紙を排出するので、処理済の用紙の仕分けが容易であり、短時間で仕分け処理を行うことが出来る。
【００２２】
本発明に係る画像形成装置は、前記受付手段が変更を受け付けたときは、該変更内容を表示する変更表示部を更に備えることを特徴とする。
【００２３】
この画像形成装置では、受付手段が変更を受け付けたときは、変更表示部がその変更内容を表示するので、変更された部数及び変更された内容をいつも確認することが出来、間違いを防止することが出来る。
【００２４】
本発明に係る画像形成装置は、前記受付手段が変更を受け付けた条件に基づく画像形成が終了したときは、前記条件に基づき画像形成された用紙が排出された排紙トレイ上の、前記用紙の有無を検出する手段を更に備え、該手段が無を検出する迄、前記変更表示部が変更内容を表示すべくなしてあることを特徴とする。
【００２５】
この画像形成装置は、受付手段が変更を受け付けた条件に基づく画像形成が終了したときは、検出する手段が、その条件に基づき画像形成された用紙が排出された排紙トレイ上の、用紙の有無を検出し、検出する手段が無を検出する迄、変更表示部が変更内容を表示するので、変更した内容を印字処理終了後に確認することが出来る。
【００２６】
本発明に係る画像形成装置は、文字又は画像を表示する手段と、該手段が表示した文字又は画像を、前記記憶部に記憶した画像データに付加する付加手段と、該付加手段が付加した文字又は画像を消去する消去手段とを更に備え、前記受付手段が変更を受け付けるべき条件は、前記付加手段による文字又は画像の付加と前記消去手段による文字又は画像の消去とを含み、前記受付手段が前記付加又は消去を受け付けたときは、該付加又は消去に基づき、引続き画像形成を行うべくなしてあることを特徴とする。
【００２７】
この係る画像形成装置では、表示する手段が文字又は画像を表示し、付加手段が、その表示した文字又は画像を、記憶部に記憶した画像データに付加し、消去手段が、その付加した文字又は画像を消去する。受付手段が変更を受け付けるべき条件は、付加手段による文字又は画像の付加と消去手段による文字又は画像の消去とを含み、受付手段が付加又は消去を受け付けたときは、その付加又は消去に基づき、引続き画像形成を行う。
これにより、記憶部内に記憶されている画像データを、簡単に加工修正して追加資料を作成することが出来る。
【００２８】
【発明の実施の形態】
以下に、本発明の実施の形態を、それを示す図面を参照しながら説明する。
実施の形態１．
図１は、本発明に係る画像形成装置の実施の形態１であるディジタル複写機の要部構成を示すブロック図である。このディジタル複写機３０は、複写機能と共に、ファクシミリ機能及びプリンタ機能も有しており、マイクロコンピュータからなるＣＰＵ１０（中央処理ユニット）により、メインモータ等の駆動部２１、後処理装置制御ユニット３４、ＲＡＤＦ（Ｒｅｃｉｒｃｕｌａｔｉｎｇ  Ａｕｔｏｍａｔｉｃ  Ｄｏｃｕｍｅｎｔ  Ｆｅｅｄｅｒ  ：両面自動原稿送り装置）制御ユニット３６、給紙搬送部５０、定着部４９、画像形成部４８、スキャナ４０、画像処理部６２及び操作部１４が制御されている。
【００２９】
給紙搬送部５０は、用紙トレイ内の用紙の有無を検出する用紙トレイセンサ２０と、用紙を搬送する搬送手段３３と、排紙トレイ内の排紙の有無を検出する排紙トレイセンサ１９とを備えている。
スキャナ４０は、走査手段４１，４２及び光電変換素子４４を備えている。
【００３０】
画像処理部６２は、スキャナ４０の光電変換素子４４が読み取った画像データを記憶するメインメモリ６３（記憶部）を備えており、光電変換素子４４が読み取った画像データをディジタル信号に変換して入力する為の画像データ入力部６１と、メインメモリ６３の補助記憶装置であるハードディスク装置２３（記憶部）と、画像データを印字処理する為に出力する画像データ出力部３２と、画像データ通信ユニット２２とをそれぞれ制御し、画像データの授受を行う。
【００３１】
操作部１４は、種々の操作キーを多数備えた操作キー部１２と、表示部であるＬＣＤ１１（Ｌｉｑｕｉｄ  Ｃｒｙｓｔａｌ  Ｄｉｓｐｌａｙ）と、操作の為のデータを記憶するメモリ１３とを備えており、ＬＣＤ１１及び操作キー部１２は、後述する操作パネル１５を構成する。
ＣＰＵ１０、画像処理部６２、画像データ入力部６１及びハードディスク装置２３は制御部６０を構成している。
【００３２】
図２は、上述したディジタル複写機３０の断面構成を示す模式図である。このディジタル複写機３０の上面には、透明なガラス体の原稿台３５が配置されており、その下方にはスキャナ部３１が配置されている。原稿台３５の上方には、原稿台３５を覆うように、ＲＡＤＦ（両面自動原稿送り装置）制御ユニット３６が配置され、ＲＡＤＦ制御ユニット３６の上部には、原稿を１枚宛原稿台３５に供給する為の原稿トレイ３７が設けられている。
【００３３】
スキャナ部３１は、露光ランプ４１ａ、第１反射ミラー４１ｂ、第２反射ミラー４２ｂ、第３反射ミラー４２ｃ、レンズ４３及びＣＣＤ（Ｃｈａｒｇｅ  Ｃｏｕｐｌｅｄ  Ｄｅｖｉｃｅ  ）を用いてなる光電変換素子４４を含み、露光ランプ４１ａ及び第１反射ミラー４１ｂからなる第１走査ユニット４１（走査手段）を原稿台３５の下面において水平方向に往復運動させて原稿台３５上面に載置された原稿の画像を露光ランプ４１ａから照射された光によって露光走査する。
第２反射ミラー４２ｂ及び第３反射ミラー４２ｃからなる第２走査ユニット４２（走査手段）は、第１走査ユニット４１の１／２の速度で第１走査ユニット４１に追随する。
【００３４】
露光ランプ４１ａによる反射光は第１反射ミラー４１ｂから、第２反射ミラー４２ｂ、第３反射ミラー４２ｃ及びレンズ４３を介して光電変換素子４４の受光面に結像し、光電変換素子４４は受光面における受光量に応じた信号を出力する。光電変換素子４４から出力された信号は、画像データとして制御部６０の画像データ入力部６２（図１）のＡ／Ｄ変換器によりディジタル化され、メインメモリ６２及びハードディスク装置２３（図１）に記憶される。記憶された画像データは、操作部１４の操作キー１２により入力された操作信号に従って読み出され、スキャナ部３１の下方に配置されたレーザ記録部３２（画像データ出力部）へ与えられる。
【００３５】
レーザ記録部３２は、図１における画像データ出力部であり、与えられた画像データに基づき、用紙上に画像を形成する為のものであり、レーザ書込みユニット４６、電子写真プロセス部４８、定着器４９及び用紙搬送機構５０を備えている。
レーザ記録部３２に与えられた画像データは、レーザ書込みユニット４６に入力される。レーザ書込みユニット４６は、入力された画像データに基づき、電子写真プロセス部４８の感光体ドラム４７の周面にレーザ光を照射し、感光体ドラム４７の周面上に静電潜像を形成する。
電子写真プロセス部４８は、感光体ドラム４７の他に帯電器、現像器、転写器、剥離器、クリーニング器及び除電器を備えており、感光体ドラム４７上の静電潜像を現像してトナー像を形成し、これを用紙上に静電転写する。
【００３６】
用紙搬送機構５０は、電子写真プロセス部４８に用紙を供給すると共に、用紙上に転写された画像を定着させた後、用紙を外部へ排出するものであり、搬送部３３、カセット給紙装置５１、５２、５３、手差し給紙装置５４、定着器４９、再供給経路５６、排紙ローラ５７、両面複写ユニット５５及び後処理装置３４から構成されている。
搬送部３３は、電子写真プロセス部４８の所定の転写位置に、カセット給紙装置５１〜５３、手差し給紙装置５４又は再供給経路５６からの用紙を搬送する為のものである。
【００３７】
両面複写ユニット５５は、用紙表面のトナー像の定着後、用紙裏面に画像を形成する為に、用紙を搬送部３３へ再供給する。
再供給経路５６は、片面に画像形成した用紙を両面複写ユニット５５へ搬送する為の経路である。
排紙ローラ５７は、定着器４９から排出された用紙を後処理装置３４又は再供給経路５６に供給する為の搬送ローラである。
後処理装置３４は、多段の排紙トレイ３８を有し、任意の段に、任意の順序で用紙を排出することが出来る。
【００３８】
図３は、操作パネル１５の１例の詳細を示す平面図である。この操作パネル１５は、割込みを指示し、割込みを表示する割込みキー／表示灯７０と、印字処理中に部数の設定を変更する為の部数変更キー７１と、印字処理中に倍率変更又は両面／片面切り換え等の機能を変更する為の機能変更キー７２と、両面／片面設定キー７３及び両面／片面表示灯７３ａと、ステーブル指示キー７４及びステーブル実行表示灯７４ａと、解像度切り換えキー７５及び解像度表示灯７５ａと、複写濃度を設定する為の濃度設定キー７６及びその表示灯７６ａと、テンキー７７と、部数等の変更及び機能の変更を確定する為の確定キー７８と、設定された部数からの未処理数を表示する表示部である表示パネル７９（ＬＣＤ１１（図１））とを備えている。
【００３９】
また、この操作パネル１５は、エラー表示灯８０と、一部の設定を解除する為のクリアキー８１と、全ての設定を解除する為のオールクリアキー８２と、スタートキー８３と、倍率を設定する為の倍率設定キー８４及び設定された倍率を表示する倍率表示灯８４ａと、用紙トレイを選択する為のトレイ選択キー８５と、選択された用紙トレイを表示するトレイ位置表示灯８５ａと、排紙トレイを選択する為の排紙トレイ選択キー８５ｂと、選択された排紙トレイを表示する排紙トレイ位置表示灯８５ｃと、１枚に何画面印字するかを設定する為のＮｕｐ１キー８６及びその設定表示灯８６ａとを備えている。
【００４０】
以下に、このような構成のディジタル複写機３０の動作を、それを示す図４、５のフローチャートを参照しながら説明する。
制御部６０は、操作パネル１５の何れかの設定キーが操作されると（Ｓ１）、操作された設定キーに従って印字条件を設定し（Ｓ２）、スタートキーが操作されると（Ｓ３）、設定された印字条件で印字処理を開始する（Ｓ４）。
制御部６０は、操作パネル１５の設定キーが操作されることなく（Ｓ１）、スタートキーが操作された（Ｓ７）ときも、印字処理を開始する（Ｓ４）。このとき、制御部６０は、部数が設定されていれば（Ｓ２）、表示パネル７９に、設定された部数からの未処理数を表示して行く。
【００４１】
制御部６０は、印字処理中に操作パネル１５のキーが操作されることなく（Ｓ５）、その印字処理が終了すれば（Ｓ６）、待機状態に戻る。
制御部６０は、印字処理中に操作パネル１５のキーが操作され（Ｓ５）、操作されたキーが部数変更キー７１であり（Ｓ８）、変更された部数が入力され（Ｓ９）、確定キー７８が操作されれば（Ｓ１０）、変更された部数を含めた未処理数である残り部数を演算する（Ｓ１１）。
【００４２】
次に、制御部６０は、表示パネル７９で、演算した残り部数（Ｓ１１）の表示を開始し（Ｓ１２）、変更された部数条件で印字処理を続行する（Ｓ１３）。
制御部６０は、印字処理中に操作パネル１５のキーが操作されることなく（Ｓ１５）、その印字処理が終了すれば（Ｓ１４）、待機状態に戻る。印字処理中に操作パネル１５のキーが操作されれば（Ｓ１５）、操作されたキーに応じた処理を行う（Ｓ８）。
制御部６０は、操作されたキーが部数変更キー７１でなければ（Ｓ８）、操作されたキーに応じた変更処理を実行し（Ｓ１６）、変更された条件で印字処理を続行する（Ｓ１３）。
【００４３】
例えば、ユーザが、最初に設定要求した部数が５０部であり、未処理部数が４０であるときに、あと２０部追加する場合、部数変更キー７１、＋２０（テンキー７７）と操作し、確定キー７８を操作すると、表示パネル７９の表示は、４０から６０へと変化し、残りの総計部数が表示され、印字処理の進捗に応じて５９、５８、５７・・・と減少して行く。
ユーザが、最初に設定要求した部数が５０部であり、未処理部数が４０であるときに、１０部削減する場合、部数変更キー７１、−１０（テンキー７７）と操作し、確定キー７８を操作すると、表示パネル７９の表示は、４０から３０へと変化し、残りの総計部数が表示され、印字処理の進捗に応じて２９、２８、２７・・・と減少して行く。
【００４４】
実施の形態２．
図６は、本発明に係る画像形成装置の実施の形態２であるディジタル複写機のの動作を示すフローチャートである。このディジタル複写機の構成及び一部の動作は、実施の形態１で説明したディジタル複写機の構成及び一部の動作（図４）と同様であるので、説明を省略する。
制御部６０は、印字処理中に操作されたキー（図４Ｓ５）が、機能変更キー７２であり（Ｓ２０）、機能設定キーが操作され（Ｓ２１）、その変更した機能による印字処理部数が入力され（Ｓ２２）、確定キー７８が操作されれば（Ｓ２３）、未処理部数が入力された部数（Ｓ２２）になる迄は、変更前の機能条件で印字処理を続行する。
【００４５】
制御部６０は、未処理部数が入力された部数になると（Ｓ２４）、変更された機能条件で印字処理を続行する（Ｓ２５）と共に、その変更された機能条件に関連する表示灯を例えば５秒間点滅させた後（Ｓ２６）、その表示灯を点灯させる（Ｓ２７）。
制御部６０は、印字処理中に操作パネル１５のキーが操作されることなく（Ｓ２９）、その印字処理が終了すれば（Ｓ２８）、点灯させた表示灯（Ｓ２７）を消灯させて（Ｓ３０）待機状態に戻る（図４）。印字処理中に操作パネル１５のキーが操作されれば（Ｓ２９）、操作されたキーに応じた処理を行う（Ｓ２０）。
制御部６０は、操作されたキーが機能変更キー７２でなければ（Ｓ２０）、操作されたキーに応じた変更処理を実行し（Ｓ３１）、変更された条件で印字処理を続行する（Ｓ２５）。
【００４６】
例えば、ユーザが、最初に設定要求した部数が５０部であり、最後の２０部を両面印刷に変更する場合、機能変更キー７２を操作し、両面／片面設定キー７３で両面を設定した後、＋２０（テンキー７７）と設定し、確定キー７８を操作すると、残り部数が２０になった時点で、両面印刷による印字処理に変わり、両面／片面表示灯７３ａの点灯側が片面側から両面側へ変わり、５秒間点滅した後、印字処理が終了する迄点灯する。
【００４７】
同様に、１枚に１画面の印字処理を、１枚に２画面の印字処理に変更する場合は、以下のようになる。
１ｉｎ１で２０部印字処理している途中で、１０部目から２ｉｎ１に変更する場合、機能変更キー７２を操作し、Ｎｕｐ１キー８６により２ｉｎ１を設定した後、＋１０（テンキー７７）と設定し、確定キー７８を操作すると、残り部数が１０になった時点で、２ｉｎ１による印字処理に変わり、設定表示灯８６ａの点灯表示灯が１ｉｎ１から２ｉｎ１へ変わり、５秒間点滅した後、印字処理が終了する迄点灯する。
【００４８】
実施の形態３．
図７は、本発明に係る画像形成装置の実施の形態３であるディジタル複写機のの動作を示すフローチャートである。このディジタル複写機の構成及び一部の動作は、実施の形態１で説明したディジタル複写機の構成及び一部の動作（図４）と同様であるので、説明を省略する。
制御部６０は、印字処理中に操作されたキー（図４Ｓ５）が、機能変更キー７２であり（Ｓ３３）、機能設定キーが操作され（Ｓ３４）、その変更した機能による印字処理部数が入力され（Ｓ３５）、確定キー７８が操作されれば（Ｓ３６）、用紙を変更する必要があるか否かを判定する（Ｓ３７）。
【００４９】
制御部６０は、用紙を変更する必要があれば（Ｓ３７）、用紙トレイセンサ２０により変更後の用紙の残数をチェックし（Ｓ４６）、チェックした残数が、その変更後に必要とする用紙数に不足していないか判定する（Ｓ４７）。
制御部６０は、その変更後に必要とする用紙数に不足していれば（Ｓ４７）、エラー灯８０と変更後の用紙のトレイ位置表示灯８５ａとを点灯させ（Ｓ４８）、未処理部数が入力された部数（Ｓ３５）になる迄、変更前の機能条件で印字処理を続行する。
制御部６０は、用紙を変更する必要がないとき（Ｓ３７）、及びその変更後に必要とする用紙数に不足していないとき（Ｓ４７）も、未処理部数が入力された部数（Ｓ３５）になる迄、変更前の機能条件で印字処理を続行する。
【００５０】
制御部６０は、未処理部数が入力された部数になると（Ｓ３８）、変更された機能条件で印字処理を続行する（Ｓ３９）と共に、その変更された機能条件に関連する表示灯を例えば５秒間点滅させた後（Ｓ４０）、その表示灯を点灯させる（Ｓ４１）。
制御部６０は、印字処理中に操作パネル１５のキーが操作されることなく（Ｓ４３）、その印字処理が終了すれば（Ｓ４２）、点灯させた表示灯（Ｓ４１）を消灯させて（Ｓ４４）待機状態に戻る（図４）。印字処理中に操作パネル１５のキーが操作されれば（Ｓ４３）、操作されたキーに応じた処理を行う（Ｓ３３）。
制御部６０は、操作されたキーが機能変更キー７２でなければ（Ｓ３３）、操作されたキーに応じた変更処理を実行し（Ｓ４５）、変更された条件で印字処理を続行する（Ｓ３９）。
【００５１】
例えば、ユーザが、最初に設定要求した部数がＡ４サイズの５０部であり、後半の３０部をＢ５サイズに変更する場合、機能変更キー７２を操作し、倍率設定キー８４で倍率を１００％から８８％に変更した後、３０（テンキー７７）と設定し、確定キー７８を操作すると、残り部数が３０になった時点で、Ｂ５サイズの用紙による印字処理に変わり、トレイ位置表示灯８５ａの点灯表示灯がＡ４の用紙トレイからＢ５の用紙トレイに変わると共に、倍率表示灯８４ａの点灯表示灯が１００％から８８％に変わり、両表示灯とも５秒間点滅した後、印字処理が終了する迄点灯する。
ここで、Ｂ５の用紙トレイの残量が３０部未満であれば、Ｂ５の用紙トレイのトレイ位置表示灯８５ａが点滅し、ユーザにＢ５用紙の補給を要求する。
【００５２】
同様に、例えば全部で１０枚の書類の内、最後の２枚のオリジナルがファクシミリで送信されて来た為に印字濃度が薄い場合、印字処理中に機能変更キー７２を操作し、解像度切り換えキー７５で「手動」を選択し、濃度設定キー７６で濃度「５」を選択した後、２（テンキー７７）と設定し、確定キー７８を操作すると、最後の２枚のみ濃度「５」により印字処理され、最後の２枚になった時点で、解像度表示灯７５ａの点灯表示灯が「自動」から「手動」に変わり、濃度表示灯７６ａの「５」の表示灯と共に、５秒間点滅した後、印字処理が終了する迄点灯する。
【００５３】
また、例えば全部で１０枚の書類の内、最後の３枚がイラスト／写真である場合、印字処理中に機能変更キー７２を操作し、解像度切り換えキー７５で「写真」を選択した後、３（テンキー７７）と設定し、確定キー７８を操作すると、最後の３枚のみ「写真」の解像度により印字処理され、最後の３枚になった時点で、解像度表示灯７５ａの点灯表示灯が「自動」から「写真」に変わり、５秒間点滅した後、印字処理が終了する迄点灯する。
【００５４】
実施の形態４．
図８は、本発明に係る画像形成装置の実施の形態４であるディジタル複写機のの動作を示すフローチャートである。このディジタル複写機の構成及び一部の動作は、実施の形態１で説明したディジタル複写機の構成及び一部の動作（図４）と同様であるので、説明を省略する。
制御部６０は、印字処理中に操作されたキー（図４Ｓ５）が、機能変更キー７２であり（Ｓ５０）、排紙トレイ選択キー８５ｂにより排紙トレイが選択され（Ｓ５１）、テンキー７７により枚数が入力され（Ｓ５２）、確定キー７８が操作されれば（Ｓ５３）、未処理部数が入力された部数（Ｓ５２）になる迄、変更前の機能条件で印字処理を続行する。
【００５５】
制御部６０は、未処理部数が入力された部数になると（Ｓ５４）、選択された（Ｓ５１）排紙トレイに変更する（Ｓ５５）と共に、印字処理を続行する。
制御部６０は、印字処理中に操作パネル１５のキーが操作されることなく（Ｓ５７）、その印字処理が終了すれば（Ｓ５６）、待機状態に戻る（図４）。印字処理中に操作パネル１５のキーが操作されれば（Ｓ５７）、操作されたキーに応じた処理を行う（Ｓ５８）。
制御部６０は、操作されたキーが機能変更キー７２でなければ（Ｓ５０）、操作されたキーに応じた変更処理を実行し、変更された条件で印字処理を続行する（Ｓ５８）。
【００５６】
例えば、１枚の書類を５０枚印字処理する場合、３０枚は技術部用、２０枚は企画部用と、配付先が２箇所であれば、印字処理中に機能変更キー７２を操作し、排紙トレイ選択キー８５ｂにより排紙トレイを選択し、変更開始枚数をテンキー７７により入力し、確定キー７８を操作することにより、後半の２０枚は別の排紙トレイに排出される。これにより、印字処理後に枚数を数える手間を省くことが出来る。
【００５７】
実施の形態５．
図９は、本発明に係る画像形成装置の実施の形態５であるディジタル複写機のの動作を示すフローチャートである。このディジタル複写機の構成及び一部の動作は、実施の形態１で説明したディジタル複写機の構成及び一部の動作（図４）と同様であるので、説明を省略する。
制御部６０は、印字処理中に操作パネル１５のキーが操作され（図４Ｓ５）、操作されたキーが部数変更キー７１であり（Ｓ６０）、テンキー７７により変更された部数が入力され（Ｓ６１）、排紙トレイ選択キー８５ｂにより排紙トレイが選択され（Ｓ６２）、確定キー７８が操作されれば（Ｓ６３）、変更された部数を含めた未処理数である残り部数を演算する（Ｓ７０）。
【００５８】
制御部６０は、残り部数を演算した（Ｓ７０）後、未処理部数が入力された部数（Ｓ６１）になる迄（Ｓ７２）、印字処理を続行し（Ｓ７１）、未処理部数が入力された部数になると（Ｓ７２）、選択された排紙トレイ（Ｓ６２）に変更して印字処理した用紙を排出する（Ｓ７２）と共に、排紙トレイ位置表示灯８５ｃの点灯表示灯を、選択された排紙トレイの排紙トレイ位置表示灯８５ｃに切り換え、５秒間点滅させた後、点灯する。
制御部６０は、排紙トレイ選択キー８５ｂにより排紙トレイが選択されることなく（Ｓ６２）、確定キー７８が操作されれば（Ｓ６９）、変更された部数を含めた未処理数である残り部数を演算する（Ｓ６４）。
【００５９】
制御部６０は、残り部数を演算した（Ｓ６４）後、入力変更された（Ｓ６１）部数条件により、印字処理を続行する（Ｓ６５）。
制御部６０は、印字処理中に操作パネル１５のキーが操作されることなく（Ｓ６７）、その印字処理が終了すれば（Ｓ６６）、待機状態に戻る（図４）。印字処理中に操作パネル１５のキーが操作されれば（Ｓ６７）、操作されたキーに応じた処理を行う（Ｓ６０）。
制御部６０は、操作されたキーが部数変更キー７１でなければ（Ｓ６０）、操作されたキーに応じた変更処理を実行し（Ｓ６８）、変更された条件で印字処理を続行する（Ｓ６５）。
【００６０】
例えば、２０枚印字処理していて、急遽、１０枚追加する必要が生じた場合、印字処理中に部数変更キー７１を操作し、変更開始枚数をテンキー７７により入力し、排紙トレイ選択キー８５ｂにより上から２番目の排紙トレイを選択し、確定キー７８を操作することにより、追加の１０枚は上から２番目の排紙トレイに排出されると共に、上から２番目の排紙トレイの排紙トレイ位置表示灯８５ｃが５秒間点滅した後、点灯する。
【００６１】
また、ソート機能で１０部印字処理するように設定されており、印字処理中に急遽、１０部追加する必要が生じた場合、上述したような手順により、追加部数及び排紙トレイが設定される。更に、ステーブル指示キー７４を操作すれば、追加された１０部にもソート機能は引き継がれ、また、追加分のみステーブルが実施される。
【００６２】
実施の形態６．
図１０は、本発明に係る画像形成装置の実施の形態６であるディジタル複写機の操作パネル１５ａの１例の詳細を示す平面図である。この操作パネル１５ａは、印字処理中に部数の設定又は機能の設定の何れを変更するかを選択する為の変更キー７２ａと、変更キー７２ａにより部数の設定変更が選択されたときに点灯する部数の変更表示灯７２ｂと、機能の設定変更が選択されたときに点灯する機能の変更表示灯７２ｃと、両面／片面設定キー７３及び両面／片面表示灯７３ａと、ステーブル指示キー７４及びステーブル実行表示灯７４ａと、解像度切り換えキー７５及び解像度表示灯７５ａと、複写濃度を設定する為の濃度設定キー７６及びその表示灯７６ａと、テンキー７７ａと、部数等の変更及び機能の変更を確定する為の確定キー７８ａと、設定された部数からの未処理数を表示する表示部である通常表示パネル７９とを備えている。
【００６３】
また、この操作パネル１５は、通常表示パネル７９とは別に、追加・修正された部数を表示する追加・修正用表示パネル７９ａ（変更表示部）と、エラー表示灯８０と、一部の設定を解除する為のクリアキー８１と、全ての設定を解除する為のオールクリアキー８２と、スタートキー８３と、倍率を設定する為の倍率設定キー８４及び設定された倍率を表示する倍率表示灯８４ａと、用紙トレイを選択する為のトレイ選択キー８５と、選択された用紙トレイを表示するトレイ位置表示灯８５ａと、１枚に何画面印字するかを設定する為のＮｕｐ１キー８６及びその設定表示灯８６ａとを備えている。その他の構成及び一部の動作は、実施の形態１で説明したディジタル複写機の構成及び一部の動作（図４）と同様であるので、説明を省略する。
【００６４】
図１１は、このような構成のディジタル複写機の動作を示すフローチャートである。制御部６０は、印字処理中に操作パネル１５のキーが操作され（図４Ｓ５）、操作されたキーが変更キー７２ａであり、部数変更が選択されれば（Ｓ７７）、追加・修正用パネル７９ａを点灯する（Ｓ７８）。
制御部６０は、次に、テンキー７７により追加・修正された部数が入力され（Ｓ７９）、確定キー７８が操作されれば（Ｓ８０）、変更された部数を含めた未処理数である残り部数及び変更後の総部数を演算する（Ｓ８１）。
【００６５】
制御部６０は、次に、演算した（Ｓ８１）残り部数を通常表示パネル７９に、変更後の総部数を追加・修正用表示パネル７９ａにそれぞれ表示する（Ｓ８２）と共に、変更された部数条件により、印字処理を続行し（Ｓ８３）、印字処理中に操作パネル１５のキーが操作されることなく（Ｓ８５）、その印字処理が終了すれば（Ｓ８４）、待機状態に戻る（図４）。但し、排紙トレイから印字処理済の用紙が除去される迄（Ｓ９０）、追加・修正用表示パネル７９ａの表示を消去（Ｓ９１）しない。
印字処理中に操作パネル１５のキーが操作されれば（Ｓ８５）、操作されたキーに応じた処理を行う（Ｓ７７）。
【００６６】
制御部６０は、操作されたキーが変更キー７２ａであり、部数変更が選択されなければ（Ｓ７７）、操作されたキーに応じた変更処理を実行し（Ｓ８６）、変更された条件で印字処理を続行する（Ｓ８７）。
制御部６０は、印字処理を続行し（Ｓ８７）、印字処理中に操作パネル１５のキーが操作されることなく（Ｓ８９）、その印字処理が終了すれば（Ｓ８８）、待機状態に戻る（図４）。印字処理中に操作パネル１５のキーが操作されれば（Ｓ８９）、操作されたキーに応じた処理を行う（Ｓ７７）。
【００６７】
例えば、ユーザは、最初に設定要求した部数が５０部であり、未処理部数が４０であるときに、あと２０部追加する場合、変更キー７２ａを操作して部数を選択する。変更キー７２ａが操作された時点で追加・修正用表示パネル７９ａが点灯し、テンキー７７により「２０」と入力し、確定キー７８を操作すると、追加・修正用表示パネル７９ａには「７０」が表示される一方、通常表示パネル７９の表示は、４０から６０へと変化し、残りの総計部数が表示され、印字処理の進捗に応じて５９、５８、５７・・・と減少して行く。
追加・修正用表示パネル７９ａに表示された「７０」は、排紙トレイから印字処理済の用紙が除去される迄、消去されない。
【００６８】
また、ユーザは、最初に設定要求した部数がＡ４サイズの５０部であり、未処理部数が４０であるときに、後半の３０部をＢ５サイズに変更する場合、変更キー７２ａを操作して機能を選択する。変更キー７２ａが操作された時点で追加・修正用表示パネル７９ａが点灯し、倍率設定キー８４により倍率を１００％から８８％に変更し、テンキー７７により「３０」と入力し、確定キー７８を操作すると、追加・修正用表示パネル７９ａには「３０」が表示される一方、通常表示パネル７９の表示は、残りの部数が表示され、印字処理の進捗に応じて３９、３８、３７・・・と減少して行く。
ここで、Ｂ５の用紙トレイの残量が３０部印字処理するには不足していれば、エラー表示灯８０及びＢ５のトレイ位置表示灯８５ａが点滅し、ユーザに用紙補給を要求する。
【００６９】
実施の形態７．
図１２は、本発明に係る画像形成装置の実施の形態７であるディジタル複写機の操作パネル１５ｂの１例の詳細を示す平面図である。この操作パネル１５ｂは、文字入力も可能なテンキー７７ｂと、テンキー７７ｂにより入力する文字を変換する為の変換キー９４と、機能の変更を確定する為の確定キー７８ｂと、設定された部数からの未処理数を表示する表示部である表示パネル７９と、一部の設定を解除する為のクリアキー８１と、全ての設定を解除する為のオールクリアキー８２と、スタートキー８３とを備えている。
【００７０】
この操作パネル１５ｂは、また、枚数を示す数字を付加して印字処理する機能を選択し、選択されたときに点灯する枚数入力キー／表示灯８９と、日付を印字処理する機能を選択し、選択されたときに点灯する日付入力キー／表示灯９０と、文字を印字処理する機能を選択し、選択されたときに点灯する文字入力キー／表示灯９１と、文字を印字処理する機能で使用するひらがな／英数文字／カタカナの文字種類及び印字処理する文（言葉）の定型／自由の別を示す表示灯９２と、印字処理する枚数／日付／文（言葉）を表示する表示パネル８８と、表示灯９２の点灯／消灯により機能を選択し、また、表示パネル８８に表示された定型文（言葉）を選択する機能選択キー９３とを備えている。その他の構成及び一部の動作は、実施の形態１で説明したディジタル複写機の構成及び一部の動作（図４）と同様であるので、説明を省略する。
【００７１】
図１３は、このような構成のディジタル複写機の動作を示すフローチャートである。制御部６０は、印字処理中に操作パネル１５のキーが操作され（図４Ｓ５）、操作されたキーが枚数入力キー／表示灯８９であり（Ｓ９５）、その枚数がテンキー７７ｂにより入力されると（Ｓ９６）、入力された枚数を“１／３０”のように表示パネル８８に表示する（Ｓ９６ａ）。この状態で確定キー７８ｂが操作されれば（Ｓ９７）、最初に設定された枚数からの未処理数が、入力された枚数（Ｓ９６）に達する迄、引続き印字処理を行う（Ｓ９８）。確定キー７８ｂが操作される前であれば、表示パネル８８に表示された文字は、キー操作により消去可能である。
【００７２】
制御部６０は、未処理数が、入力された枚数（Ｓ９６）に達すると（Ｓ９８）、入力された枚数（Ｓ９６）を示す数字を付加する機能を追加して印字処理を続行する（Ｓ９９）と共に、枚数入力キー／表示灯８９を５秒間点滅させた（Ｓ１００）後、点灯させる（Ｓ１０１）。
制御部６０は、機能を追加した印字処理を続行し（Ｓ１００）、印字処理中に操作パネル１５ｂのキーが操作されることなく（Ｓ１０３）、その印字処理が終了すれば（Ｓ１０２）、枚数入力キー／表示灯８９を消灯させて（Ｓ１０７）、待機状態に戻る（図４）。印字処理中に操作パネル１５ｂのキーが操作されれば（Ｓ１０３）、操作されたキーに応じた処理を行う（Ｓ９５）。
【００７３】
制御部６０は、操作されたキーが枚数入力キー／表示灯８９でなければ（Ｓ９５）、操作されたキーに応じた機能変更処理を実行して（Ｓ１０４）、変更された機能条件で印字処理を続行し、印字処理中に操作パネル１５ｂのキーが操作されることなく（Ｓ１０６）、その印字処理が終了すれば（Ｓ１０５）、待機状態に戻る（図４）。印字処理中に操作パネル１５のキーが操作されれば（Ｓ１０６）、操作されたキーに応じた処理を行う（Ｓ９５）。
【００７４】
例えば、ユーザは、最初に設定要求した枚数が５０であり、後半の３０枚に枚数を入力付加する必要が生じた場合、枚数入力キー／表示灯８９を操作した後、枚数入力を開始する枚数「３０」をテンキー７７ｂにより入力し、表示パネル８８に“１／３０”のように表示させて確認し、確定キー７８ｂを操作しておくと、未処理数が３０になった時点で、枚数入力キー／表示灯８９が５秒間点滅した後、点灯する。
ユーザは、確定キー７８ｂを操作する前であれば、表示パネル８８の表示内容を追加／消去することが出来る。
【００７５】
表示パネル７９の表示は、印字処理の進捗に応じて２９、２８、２７・・・と減少して行く。
枚数を示す数字は、図１４（ａ）に示すように、右上隅に“１／３０”と付加印字される。また、下端中央部に“−１−”のように付加印字することも可能である。
【００７６】
また、ユーザは、最初に設定要求したドキュメントの部数が２０であり、最後の５部に日付を入力付加したい場合、日付入力キー／表示灯９０を操作した後、日付入力を開始する部数「５」をテンキー７７ｂにより入力し、表示パネル８８にその日の日付を表示させて確認し、確定キー７８ｂを操作しておくと、未処理数が５になった時点で、日付入力キー／表示灯９０が５秒間点滅した後、点灯し、最後の５部にその日の日付が付加印字される。
ユーザは、確定キー７８ｂを操作する前であれば、表示パネル８８の表示内容を追加／消去することが出来る。
【００７７】
また、ユーザは、最初に設定要求した枚数が３０であり、１５枚目から「定型」文（言葉）で「会議用資料」と付加印字したい場合、文字入力キー／表示灯９１を操作した後、機能選択キー９３により「ひらがな」の「定型」文（言葉）を表示パネル８８に表示させて選択し、文字入力を開始する枚数「１５」をテンキー７７ｂにより入力し、確定キー７８ｂを操作しておくと、未処理数が１５になった時点で、文字入力キー／表示灯９１が５秒間点滅した後、点灯する。
「定型」文（言葉）は、図１４（ｂ）に示すように、右上隅に“会議用資料”と付加印字される。
ユーザは、確定キー７８ｂを操作する前であれば、表示パネル８８の表示内容を追加／消去することが出来る。
【００７８】
【発明の効果】
本発明に係る画像形成装置によれば、印字処理中（画像形成中）に部数変更の必要が生じても、従来のアナログ複写機のように、割込み処理で印字処理を一旦中断し、追加分の印字処理を行った後、未処理の原稿を変更後の部数で印字処理するような煩雑な処理ではなく、処理中の動作を停止することなく、部数変更して印字処理を実行するので、速やかに印字処理を終了することができる。
【００７９】
本発明に係る画像形成装置によれば、印字処理中（画像形成中）に部数変更の必要が生じても、処理中の動作を停止することなく、部数変更して印字処理を実行するので、速やかに印字処理を終了することができる。
【００８０】
本発明に係る画像形成装置によれば、部数変更後の印字処理の進捗状況を確認することが出来る。
【００８１】
本発明に係る画像形成装置によれば、変更された部数及び変更された機能を確認することが出来る。
【００８２】
本発明に係る画像形成装置によれば、機能変更、特に倍率変更を伴う変更に対して、その倍率に応じた用紙を選択することが出来、拡大倍率に変更された場合でも、印字欠けを防止することが出来る。
【００８３】
本発明に係る画像形成装置によれば、変更した条件による印字処理を完了する為の用紙の不足を事前に通知することが出来、用紙不足による中断状態が放置されることを防止することが出来る。
【００８４】
本発明に係る画像形成装置によれば、処理済の用紙の仕分けが容易であり、短時間で仕分け処理を行うことが出来る。
【００８５】
本発明に係る画像形成装置によれば、変更された部数及び変更された内容をいつも確認することが出来、間違いを防止することが出来る。
【００８６】
本発明に係る画像形成装置によれば、変更された内容を印字処理終了後に確認することが出来る。
【００８７】
本発明に係る画像形成装置によれば、記憶部内に記憶されている画像データを、簡単に加工修正して追加資料を作成することが出来る。
【図面の簡単な説明】
【図１】本発明に係る画像形成装置の実施の形態であるディジタル複写機の要部構成を示すブロック図である。
【図２】図１に示すディジタル複写機の断面構成を示す模式図である。
【図３】操作パネルの１例の詳細を示す平面図である。
【図４】図１に示すディジタル複写機の動作を示すフローチャートである。
【図５】図１に示すディジタル複写機の動作を示すフローチャートである。
【図６】図１に示すディジタル複写機の動作を示すフローチャートである。
【図７】図１に示すディジタル複写機の動作を示すフローチャートである。
【図８】図１に示すディジタル複写機の動作を示すフローチャートである。
【図９】図１に示すディジタル複写機の動作を示すフローチャートである。
【図１０】操作パネルの１例の詳細を示す平面図である。
【図１１】図１に示すディジタル複写機の動作を示すフローチャートである。
【図１２】操作パネルの１例の詳細を示す平面図である。
【図１３】図１に示すディジタル複写機の動作を示すフローチャートである。
【図１４】図１に示すディジタル複写機の動作を説明する為の説明図である。
【符号の説明】
１０  ＣＰＵ（中央処理ユニット）
１２  操作キー部
１４  操作部
１５，１５ａ，１５ｂ  操作パネル
１９  排紙トレイセンサ
２３  ハードディスク装置（記憶部）
３０  ディジタル複写機
３２  画像データ出力部（レーザ記録部）
６０  制御部
６２  画像処理部
６３  メインメモリ（記憶部）
７１  部数変更キー
７２，７２ａ  機能変更キー
７７，７７ａ，７７ｂ  テンキー
７８，７８ａ，７８ｂ  確定キー
７９，８８  （通常）表示パネル
７９ａ  追加・修正用表示パネル（変更表示部）
８０  エラー表示灯
８５  トレイ選択キー
８５ａ  トレイ位置表示灯
８５ｂ  排紙トレイ選択キー
８５ｃ  排紙トレイ位置表示灯
【図１】
0003614363.tif 000002
【図２】
0003614363.tif 000003
【図３】
0003614363.tif 000004
【図４】
0003614363.tif 000005
【図５】
0003614363.tif 000006
【図６】
0003614363.tif 000007
【図７】
0003614363.tif 000008
【図８】
0003614363.tif 000009
【図９】
0003614363.tif 000010
【図１０】
0003614363.tif 000011
【図１１】
0003614363.tif 000012
【図１２】
0003614363.tif 000013
【図１３】
0003614363.tif 000014
【図１４】
0003614363.tif 000015